(57)【要約】【課題】スピーカを搭載する充電装置において、鑑賞者にとって常に良好な音響空間を提供する。【解決手段】第１筐体２１０と第２筐体２２０とがヒンジ部２３０を介して開閉可能に接続された携帯電子機器２００に対して充電可能な充電装置であって、第１筐体２１０が第２筐体２２０に対して開閉可能な状態にて携帯電子機器２００が載置される載置部１１０と、載置部１１０に載置される携帯電子機器２００に対して電気的に接続されるスピーカ１２０，１３０と、載置部１１０に載置される携帯電子機器２００に係合されるとともに、第１筐体２１０の開閉運動に連動してスピーカ１２０，１３０のスピーカ面１２１，１３１の角度を変更する角度変更手段１４０とを備える。また、携帯電子機器２００が全開状態から９０度の間では第２のスピーカ面１２１ａ，１３１ａと表示部２４０とを平行とし、９０度から閉状態では第２のスピーカ面１２１ａ，１３１ａと載置台１１０とが直角になるように第２のスピーカ１２０ａ，１３０ａの可動範囲を制限する。【選択図】図１
2008086195.tif 000002
【特許請求の範囲】
【請求項１】
第１筐体と第２筐体とがヒンジ部を介して開閉可能に接続された携帯電子機器に対して充
電可能な充電装置であって、
前記第１筐体が前記第２筐体に対して開閉可能な状態にて前記携帯電子機器が載置され
る載置部と、
前記載置部に載置される前記携帯電子機器に対して電気的に接続されるスピーカと、
前記載置部に載置される携帯電子機器に係合されるとともに、前記第１筐体の開閉運動
に連動して前記スピーカのスピーカ面の角度を変更する角度変更手段と
を備えることを特徴とする充電装置。
【請求項２】
前記ヒンジ部が前記第１筐体の開閉運動に連動して回動する可動部を備え、
前記角度変更手段は、前記ヒンジ部の可動部に係合されることを特徴とする請求項１記
載の充電装置。
【請求項３】
前記第１筐体が表示部を備え、
前記角度変更手段は、前記表示部の表示面と前記スピーカ面とが平行となるように前記
スピーカ面の角度を変更することを特徴とする請求項１または２記載の充電装置。
【請求項４】
前記第１筐体が表示部を備え、
前記角度変更手段は、前記携帯電子機器が閉状態から９０度の範囲において、前記置載部と前記スピーカ面とが直角となり、９０度を超えた角度範囲において、第１筐体と平行となるように前記表示部の表示面と前記スピーカ面の角度を変更することを特徴とする請求項１または２記載の充電装置。
【請求項５】
前記角度変更手段は、前記ヒンジ部の回転軸と同一方向の回転軸を有するとともに前記載
置部に対して回動可能に支持される軸部を備え、該軸部の一端が前記携帯電子機器に係合
可能とされるとともに他端が前記スピーカに対して固定されていることを特徴とする請求
項１〜４いずれかに記載の充電装置。
【請求項６】
前記スピーカを複数備えることを特徴とする請求項１〜５いずれかに記載の充電装置。
【発明の詳細な説明】
【技術分野】
【０００１】
本発明は、充電装置に関するものであり、特に、携帯端末に対する充電を行う充電装置
に関するものである。
【背景技術】
【０００２】
携帯電子機器の一種である携帯電話機では、音楽再生機能を有するものが一般的である
。このような携帯電話機で音楽を聴く場合には、イヤホーンを介して聴いたり、携帯電話
機に搭載された外部スピーカを介して聴いたりする。
【０００３】
ところで、近年は、自宅等で充電状態を気にすることなく音楽を楽しんだり、より良質
な音質で音楽を楽しむために、携帯電話機の充電装置にスピーカが搭載されたものがある
。このような充電装置は、外部電源に対して直接接続されるものであるため、携帯電話機
に搭載されたバッテリーの残量を減らすことなく音楽を再生することができる。また、充
電装置は、一般的に携帯電話機と比較して小型化及び軽量化のニーズが低いため、より音
質が良い大型スピーカ等を搭載することができる。
【特許文献１】特開２００１−１６７９２号公報
【発明の開示】
【発明が解決しようとする課題】
【０００４】
しかしながら、特許文献１に示すように、充電装置に搭載されるスピーカは、携帯電話
機が載置される載置台に収納され、そのスピーカ面が載置台に対して固定されたものとな
っている。このため、スピーカ面の角度を特に上下方向に変更することができず、鑑賞者
にとって良好な音響空間を提供することができなかった。
【０００５】
また、近年は、音楽のみならず、映像と音楽とが一体となった映像コンテンツを携帯電
話機で鑑賞する場合もある。このような場合には、ヒンジ部で連結される２つの筐体のう
ち、表示部を備える筐体の角度を表示部の表示面が視認可能な角度となるように設定する
ことによって映像を鑑賞することとなる。しかしながら、スピーカのスピーカ面は固定さ
れたものであるため、表示面とスピーカ面とが一致せず、映像を良好に鑑賞できることが
可能である場合に、必ずしも鑑賞者に対して良好な音響空間を提供することができなかっ
た。
【０００６】
本発明は、上述する問題点に鑑みてなされたもので、スピーカを搭載する充電装置にお
いて、鑑賞者にとって常に良好な音響空間を提供することを目的とする。
【課題を解決するための手段】
【０００７】
上記目的を達成するために、本発明は、第１筐体と第２筐体とがヒンジ部を介して開閉
可能に接続された携帯電子機器に対して充電可能な充電装置であって、上記第１筐体が上
記第２筐体に対して開閉可能な状態にて上記携帯電子機器が載置される載置部と、上記載
置部に載置される上記携帯電子機器に対して電気的に接続されるスピーカと、上記載置部
に載置される携帯電子機器に係合されるとともに、上記第１筐体の開閉運動に連動して上
記スピーカのスピーカ面の角度を変更する角度変更手段とを備えることを特徴とする。
【０００８】
また、本発明においては、上記ヒンジ部が上記第１筐体の開閉運動に連動して回動する
可動部を備え、上記角度変更手段が、上記ヒンジ部の可動部に係合されるという構成を採
用することができる。
【０００９】
また、本発明においては、上記第１筐体が表示部を備え、上記角度変更手段が、上記表
示部の表示面と上記スピーカ面とが平行となるように上記スピーカ面の角度を変更すると
いう構成を採用することができる。
【００１０】
また、本発明においては、前記第１筐体が表示部を備え、前記角度変更手段は、前記携帯電子機器が閉状態から９０度の範囲において、前記置載部と前記スピーカ面とが直角となり、９０度を超えた角度範囲において、第１筐体と平行となるように前記表示部の表示面と前記スピーカ面の角度を変更するという構成を採用することができる。
【００１１】
また、本発明においては、上記角度変更手段が、上記ヒンジ部の回転軸と同一方向の回
転軸を有するとともに上記載置部に対して回動可能に支持される軸部を備え、該軸部の一
端が上記携帯電子機器に係合可能とされるとともに他端が上記スピーカに対して固定され
ている。
【００１２】
また、本発明においては、上記スピーカを複数備えるという構成を採用することができ
る。
【発明の効果】
【００１３】
本発明によれば、載置部に載置される携帯電子機器に係合される角度変更手段によって
、携帯電話機の第１筐体の開閉運動に連動してスピーカのスピーカ面の角度が変更される
。このため、鑑賞者は、携帯電話機の第１筐体を開閉することによって、充電装置に搭載
されたスピーカのスピーカ面を任意の方向に向けることができる。
【００１４】
また、本発明によれば、前記角度変更手段によって、携帯電話機が閉状態から９０度の範囲において、置載部と前記スピーカ面とが直角となり、９０度を超えた角度範囲において、第１筐体と平行となるように表示部の表示面と前記スピーカ面の角度を変更することができので、携帯電話機の開閉にかかわらず良好な音響状態を維持することができる。
【００１５】
したがって、本発明によれば、スピーカを搭載する充電装置において、鑑賞者にとって
常に良好な音響空間を提供することが可能となる。
【発明を実施するための最良の形態】
【００１６】
以下、図面を参照して、本発明に係る充電装置の一実施形態について説明する。なお、
以下の図面において、各部材を認識可能な大きさとするために、各部材の縮尺を適宜変更
している。
【００１７】
（第１実施形態）
図１は、本第１実施形態の充電装置１００の斜視図である。なお、図１においては、充
電装置１００に、携帯電話機２００が載置された状態を示している。
【００１８】
充電装置１００は、図１に示すように、載置台１１０（載置部）と、スピーカ１２０，
１３０と、軸部１４０と、を備えている。また、充電装置１００は、不図示のＡＣアダプ
タを備えており、ＡＣアダプタが外部電源と接続されることによって携帯電話機２００に
充電可能な構成とされている。
【００１９】
載置台１１０は、上面側に携帯電話機２００が載置可能な凹部１１１を備えるとともに
不図示のＡＣアダプタが接続されるものである。この載置台１１０の凹部１１１内には、
携帯電話機２００の接続端子と接続される接続端子が設置されており、当該接続端子を介
して携帯電話機２００の充電が行われるとともに、携帯電話機と載置台１１０との電気的
接続が確保される。
【００２０】
スピーカ１２０，１３０は、携帯電話機２００から供給される音信号に基づいて音を出
力するものである。そして、スピーカ１２０は、図１に示すように、載置台１１０の右側
に設置され、スピーカ１３０は、載置台１１０の左側に設置されている。そして、スピー
カ１２０，１３０は、軸部１４０を介して載置台１１０によって支持されている。なお、
スピーカ１２０のスピーカ面１２１と、スピーカ１３０のスピーカ面１３１とが、同一面
内に位置するように、スピーカ１２０，１３０は姿勢設定されている。
【００２１】
軸部１４０は、載置台１１０に対して可動可能に支持されており、一端が載置台１１０
の凹部１１１に載置される携帯電話機２００のヒンジ部２３０（図２参照）と係合される
とともに、他端がスピーカ１２０（１３０）に対して固定されている。
【００２２】
ここで、図２を参照して、携帯電話機２００について説明する。
【００２３】
図２は、携帯電話機２００の概略構成を模式的に示した図である。
【００２４】
この図に示すように、本実施形態の携帯電話機２００は、第１筐体２１０と第２筐体２
２０とを有している。そして、第１筐体２１０と第２筐体２２０とは、ヒンジ部２３０を
介して開閉可能に接続されている。
【００２５】
第１筐体２１０には、液晶ディスプレイあるいは有機ＥＬ（Ｅｌｅｃｔｒｏ  Ｌｕｍｉ
ｎｅｓｃｅｎｃｅ）ディスプレイや無機ＥＬディスプレイ等の表示部２４０が設置されて
いる。また、表示部２４０の上側には、スピーカ２５０が設置されている。
【００２６】
一方、第２筐体２２０には、複数の操作キー２６０が配列されている。また、操作キー
２６０の下側にはマイクロフォン２７０が設置されている。
【００２７】
続いて、図３を参照して、充電装置１００の軸部１４０、及び、携帯電話機２００のヒ
ンジ部２３０の構造についてより詳細に説明する。
【００２８】
図３は、携帯電話機２００が載置台１１０に載置された状態における断面図であり、携
帯電話機２００のヒンジ部２３０と、充電装置１００の軸部１４０との連結構造を説明す
るためのものである。
【００２９】
図３に示すように、軸部１４０は、載置台１１０の側部１１２に形成された貫通孔に挿
通されることによって、図３の紙面左右方向を回動軸として、載置台１１０に対して回動
可能に支持されている。
【００３０】
軸部１４０の一端部１４１側には、回動軸と直交する方向に延在して突出する突出部１
４２が形成されている。そして、この突出部１４２と載置台１１０との間には、軸部１４
０に携帯電話機２００側に付勢力を与えるバネ１４３が設置されている。
【００３１】
なお、このバネ１４３は、一端が軸部１４０の突出部１４２に固定されているが、他端
は、載置台１１０に対して摺動可能に当接するのみである。このため、軸部１４０は、載
置台１１０に対して回動可能とされている。
【００３２】
ヒンジ部２３０は、第１筐体２１０に固定されるとともに第１筐体２１０の開閉運動に
連動して回動する可動部２３１と、第２筐体２２０に固定される固定部２３２とを備えて
いる。そして、可動部２３１は、固定部２３２を貫通して携帯電話機２００の側部まで延
在し、その端部に係合孔２３３が形成されている。また、係合孔２３３及び軸部１４０の
端部１４１は、例えば、互いに多角形形状を有しており、軸部１４０の端部１４１が係合
孔２３３に嵌り合うことによって係合された場合には、係合孔２３３と軸部１４０とが回
動方向に摺動不能に固定される。なお、軸部１４０が係合孔２３３と係合された場合には
、ヒンジ部２３０の回動軸と軸部１４０の回動軸とは同一方向に向くこととなる。
【００３３】
また、図３に示すように、軸部１４０の端部１４１、ヒンジ部２３０の可動部２３１及
び第２筐体２２０の端部２２１とには、面取りがなされている。このような面取り構造に
よって、携帯電話機２００を載置台１１０に対して上下方向に移動させた場合に、軸部１
４０に回動軸に沿った方向（紙面右方向）に力が加わり、軸部１４０とヒンジ部２３０の
可動部２３１との係合をスムーズに行うことができる。
【００３４】
なお、軸部１４０は中空に形成されており、その内部にスピーカ１２０（１３０）と接
続端子とを繋ぐコード１５０が挿通されている。そして、コード１５０を介して携帯電話
機２００とスピーカ１２０，１３０とが電気的に接続される。
【００３５】
このような構成を有する本実施形態の充電装置１００においては、携帯電話機２００が
載置台１１０に載置された状態において、携帯電話機２００の第１筐体２１０が開閉され
ることによって、ヒンジ部２３０の可動部２３１に形成にされた係合孔２３３に係合され
た軸部１４０が回動され、さらにスピーカ１２０，１３０が回動される。すなわち、本実
施形態の充電装置１００によれば、軸部１４０によって、携帯電話機２００の第１筐体２
１０の開閉運動に連動してスピーカ１２０，１３０のスピーカ面１２１，１３１の角度が
変更される。
【００３６】
なお、本実施形態においては、スピーカ１２０，１３０のスピーカ面１２１，１３１と
第１筐体２１０に設置される表示部２４０の表示面とが平行となるようにヒンジ部２３０
の可動部２３１に形成にされた係合孔２３３に軸部１４０が係合される。
【００３７】
このため、例えば、図４に示すように、携帯電話機２００の第１筐体２１０を直立させ
た場合には、スピーカ１２０，１３０のスピーカ面１２１，１３１は、水平方向を向いて
姿勢設定される。また、図５に示すように、第１筐体２１０を図４に示す直立状態よりも
さらに開いた場合には、スピーカ１２０，１３０のスピーカ面１２１，１３１が上向きに
傾動される。  
このような本実施形態の充電装置１００によれば、上述のように、軸部１４０によって
、携帯電話機２００の第１筐体２１０の開閉運動に連動してスピーカ１２０，１３０のス
ピーカ面１２１，１３１の角度が変更される。
【００３８】
このため、鑑賞者は、携帯電話機２００の第１筐体２１０を開閉することによって、充
電装置１００に搭載されたスピーカ１２０，１３０のスピーカ面１２１，１３１を任意の
方向に向けることができる。
【００３９】
したがって、本実施形態の充電装置１００によれば、スピーカを搭載する充電装置にお
いて、鑑賞者にとって常に良好な音響空間を提供することが可能となる。
【００４０】
また、本実施形態の充電装置１００によれば、携帯電話機２００の第１筐体２１０に設
置された表示部２４０の表示面とスピーカ１２０，１３０のスピーカ面１２１，１３１と
が常に平行とされている。
【００４１】
このため、映像と音楽とが一体となった映像コンテンツを携帯電話機で鑑賞する場合に
おいて、第１筐体２１０の角度を表示部２４０の表示面が視認可能な角度に設定した場合
に、スピーカ１２０，１３０のスピーカ面１２１，１３１が鑑賞者に向けられる。したが
って、表示面とスピーカ面１２１，１３１とが一致し、鑑賞者に映像とともに良好な音響
空間を提供することができる。
【００４２】
（第２実施形態）
次に、本発明の第２実施形態について説明する。なお、本第２実施形態の説明において
、上記第１実施形態と同様の部分については、その説明を省略あるいは簡略化する。
【００４３】
図６は、本第２実施形態における、充電装置３００の断面図であり、携帯電話機２００
が充電装置３００に載置された状態における断面図である。
【００４４】
この図に示すように、本実施形態の充電装置３００においては、軸部１４０が突出部１
４２を備えておらず、またバネ１４３も設置されていない。その替わりに、軸部１４０の
端部１４１には、図７に示すように、回動軸方向に突出した板部材１４４が設置されてい
る。また、ヒンジ部２３０の可動部２３１には、図８に示すように、軸部１４０の板部材
１４４が側方から挿し込み可能な溝部２３４が形成されている。
【００４５】
このような構成を有する本実施形態の充電装置３００においては、携帯電話機２００を
載置台１１０に載置した場合に、軸部１４０の板部材１４４がヒンジ部２３０の可動部２
３１に形成された溝部２３４に差し込まれ、これによって、軸部１４０とヒンジ部２３０
の可動部２３１とが係合される。よって、本実施形態の充電装置３００においても、上記
第１実施形態の充電装置１００と同様に、鑑賞者は、携帯電話機２００の第１筐体２１０
を開閉することによって、充電装置３００に搭載されたスピーカ１２０，１３０のスピー
カ面１２１，１３１を任意の方向に向けることができる。
【００４６】
したがって、本実施形態の充電装置３００によれば、スピーカを搭載する充電装置にお
いて、鑑賞者にとって常に良好な音響空間を提供することが可能となる。
【００４７】
（第３実施形態）
次に、本発明の第３実施形態について説明する。なお、本第３実施形態の説明において
、上記第１実施形態と同様の部分については、その説明を省略あるいは簡略化する。
【００４８】
図９は本発明の第３実施形態における充電装置の動作を説明するための説明図である。
【００４９】
図９（ａ）は携帯電話機２００の表示部２４０の面が閉状態と９０度の間にある状態において、第２のスピーカ面１２１ａおよび第２のスピーカ面１３１ａ（図示せず）とが、ストッパー４００により角度が直角に制限をされている様子を示す。同様に、図９（ｂ）は携帯電話機２００の表示部２４０の面が閉状態において、第２のスピーカ面１２１ａおよび第２のスピーカ面１３１ａ（図示せず）とが、ストッパー４００により角度が直角に制限をされている様子を示す。ストッパー４００は置載台１１０に両側に備えられている。
【００５０】
図１０は本発明の第３実施形態における充電装置の概略構成を説明するための説明図である。第２のスピーカ１２０ａと軸部１４０とは第２のスピーカ１２０ａの摺動軸部１２０ｂと軸部１４０の摺動軸部１４０ｂとにより係合されている。係合部は適当な摩擦力を有しており、第２のスピーカ１２０ａおよび第２のスピーカ１３０ａ（図示せず）は其々の自重で回転することは無い。また、第２のスピーカ面１２１ａの可動範囲を制限するストッパー４００により、携帯電話機２００が閉じた状態から９０度開いた状態までの間において、第２のスピーカ面１２１ａおよび第２のスピーカ面１３１ａ（図示せず）と置載台１１０との角度が互いに直角に保たれる。携帯電話機１２０の開き角度が９０度を超えた場合はストッパー４００と第２のスピーカ面１２１ａおよび第２のスピーカ面１３１ａは、携帯電話機１２０の表示部２４０の面と平行となる状態を保ちながら動作する。
【００５１】
以上、本発明の実施形態について図面を参照して詳説したが、具体的な構成は、上記実
施形態に限定されるものではなく、本発明の要旨を逸脱しない範囲において設計変更等が
可能である。
【００５２】
例えば、上記実施形態においては、本発明の角度変更手段として、軸部１４０を採用し
た構成について説明した。しかしながら、本発明はこれに限定されるものではなく、載置
台１１０に載置された携帯電話機２００の第１筐体２１０の開閉運動に連動してスピーカ
１２０，１３０のスピーカ面１２１，１３１の角度を変更可能なものであれば、角度変更
手段として用いることができる。
【００５３】
例えば、第１筐体２１０に直接接続されるとともに第１筐体２１０の開閉運動に連動し
て移動する棒部を角度変更手段として備え、当該棒部の移動をスピーカに伝達する構成と
しても良い。
【００５４】
また、上記実施形態においては、スピーカ１２０，１３０のスピーカ面１２１，１３１
が表示部２４０の表示面と平行となるようにスピーカ１２０，１３０が回動される構成に
ついて説明した。しかしながら、本発明はこれに限定されるものではなく、例えば、音楽
のみを聴くような場合には、必ずしも、スピーカ１２０，１３０のスピーカ面１２１，１
３１が表示部２４０の表示面と平行となるようにスピーカ１２０，１３０が回動する必要
はない。
【００５５】
また、上記実施形態においては、本発明の充電装置に載置される携帯電子機器の一例と
して携帯電話機を挙げて説明した。しかしながら、本発明はこれに限定されるものではな
く、携帯電話機以外の携帯電子機器（例えばＰＤＡ（Ｐｅｒｓｏｎａｌ  Ｄｉｇｉｔｅｌ
Ａｓｓｉｓｔａｎｔ）等）が載置される充電装置に適用することができる。
【図面の簡単な説明】
【００５６】
【図１】本発明の第１実施形態における充電装置の斜視図である。
【図２】本発明の第１実施形態における充電装置に載置される携帯電話機の概略構成を模式的に示した図である。
【図３】携帯電話機が本発明の第１実施形態である充電装置に載置された状態における断面図である。
【図４】本発明の第１実施形態における充電装置の動作を説明するための説明図である。
【図５】本発明の第１実施形態における充電装置の動作を説明するための説明図である。
【図６】携帯電話機が本発明の第２実施形態である充電装置に載置された状態における断面図である。
【図７】本発明の第２実施形態である充電装置が備える軸部の端部を拡大した拡大斜視図である。
【図８】本発明の第２実施形態である充電装置に載置される携帯電話機が備えるヒンジ部の可動部を拡大した拡大斜視図である。
【図９】本発明の第３実施形態における充電装置の動作を説明するための説明図である。
【図１０】本発明の第３実施形態における充電装置の概略構成を説明するための説明図である。
【符号の説明】
【００５７】
１００，３００……充電装置
１１０……載置台（載置部）
１２０，１３０……スピーカ
１２０ａ，１３０ａ……第２のスピーカ
１２０ｂ，１３０ｂ……第２のスピーカの摺動軸部（角度変更手段）
１２１，１３１……スピーカ面
１２１ａ，１３１ａ……第２のスピーカ面
１４０……軸部（角度変更手段）
１４０ａ……軸部（角度変更手段）
１４０ｂ……摺動軸部（角度変更手段）
２００……携帯電話機（携帯電子機器）
２１０……第１筐体
２２０……第２筐体
２３０……ヒンジ部
２３１……可動部
２３２……固定部
２４０……表示部
４００……ストッパー（第２のスピーカ面の可動範囲制限手段）
【図１】
2008086195.tif 000003
【図２】
2008086195.tif 000004
【図３】
2008086195.tif 000005
【図４】
2008086195.tif 000006
【図５】
2008086195.tif 000007
【図６】
2008086195.tif 000008
【図７】
2008086195.tif 000009
【図８】
2008086195.tif 000010
【図９】
2008086195.tif 000011
【図１０】
2008086195.tif 000012